(57)【要約】【課題】チラシと写真プリントを一まとめになってプリント袋の中に挿入されることが開示されているが、チラシをただ挿入されただけではチラシは破棄されて印象度の少ないことになり、チラシを入れている効果が少ない。【解決手段】本発明は、前記写真と前記チラシを略交互または略均等な間隔または最初と最後の所定枚数に対して略交互または所定の間隔で収納するために、同梱されたチラシが一部破棄されても印象に残るために本来のチラシの効果を得ることができる。【選択図】図１
2009139502.tif 000002
【特許請求の範囲】
【請求項１】
複数の写真を集積する写真集積手段と、複数のチラシを集積するチラシ集積手段と、前記写真及び前記チラシを収納する収納手段と、前記写真及び前記チラシを前記収納手段に所定のルールに従って搬送する搬送手段と、該搬送手段の動作を制御する制御手段とを備えた写真・チラシ収納装置。
【請求項２】
前記所定のルールは、前記写真と前記チラシの枚数が略同一の場合は、前記写真と前記チラシを交互に前記収納手段に収納するよう前記搬送手段を制御する請求項１に記載の写真・チラシ収納装置。
【請求項３】
前記所定のルールは、前記写真が前記チラシの枚数が多い場合、前記チラシを前記写真に対して略均等の間隔で前記収納手段に収納するよう前記搬送手段を制御する請求項１に記載の写真・チラシ収納装置。
【請求項４】
前記所定のルールは、前記写真と前記チラシの枚数が多い場合は、前記写真に対して前記チラシを最初と最後の所定枚数は略交互または所定の間隔で前記収納手段に収納するよう前記搬送手段を制御する請求項１に記載の写真・チラシ収納装置。
【請求項５】
複数の写真を集積するステップと、複数のチラシを集積するステップと、前記写真及び前記チラシを収納手段に所定のルールに従って搬送するよう制御するステップとを備えた写真・チラシ収納方法。
【請求項６】
前記所定のルールは、前記写真と前記チラシの枚数が略同一の場合は、前記写真と前記チラシを交互に前記収納手段に収納するよう制御するステップである請求項５に記載の写真・チラシ収納方法。
【請求項７】
前記所定のルールは、前記写真が前記チラシの枚数が多い場合、前記チラシを前記写真に対して略均等の間隔で収納手段に収納するよう制御するステップである請求項５に記載の写真・チラシ収納方法。
【請求項８】
前記所定のルールは、前記写真と前記チラシの枚数が多い場合は、前記写真に対して前記チラシを最初と最後の所定枚数は略交互または所定の間隔で前記収納手段に収納するよう制御するステップである請求項５に記載の写真・チラシ収納装置。
【発明の詳細な説明】
【技術分野】
【０００１】
本発明は、写真プリントを梱包する際に、チラシを写真プリントの間に挿入する写真・チラシ収納装置および写真・チラシ収納方法に関する。
【背景技術】
【０００２】
従来は、特許文献の図２の示すようにパッケージの中に、注文した写真を入れその上か下にチラシを同梱して送付されていた。以下、図４に基づいて特許文献１を説明する。
【０００３】
チラシ１４、ネガシート１２及び写真プリント１６をトレー２８に搬出する。このトレー２８の先端へ、吸盤７４がプリント袋２０を吸着して移動し、プリント袋２０の袋底部２０Ａを掛止する。トレー２８が下方へ移動すると、支持片４８が解除され、先端を下向きにして垂れ下がる。これによって、チラシ１４、ネガシート１２及び写真プリント１６が一まとめとなって、プリント袋２０の中に挿入され、またこのプリント袋２０はボックス９２に搬出される。プリント袋２０はボックス９２で搬送される間に、ストッパー１０６により折り合わせ部が折り曲げられる。このプリント袋２０は、ケース１１２に搬出され、ここで、押え板１３２で折り目が形成される。次に、ケース１１２は、移動してプリント袋２０をＤＰ袋２４に投入する。
【０００４】
【特許文献１】特開平５−１９４４４号公報
【発明の開示】
【発明が解決しようとする課題】
【０００５】
特許文献１ではチラシと写真プリントを一まとめになってプリント袋の中に挿入されることが開示されているが、チラシをただ挿入されただけではチラシは破棄されて印象度の少ないことになり、チラシを入れている効果が少ない。
【０００６】
本発明はこのような事情を鑑みなされたものであり、チラシを写真とどのように挿入してチラシの認識率を上げる事を目的とする。
【課題を解決するための手段】
【０００７】
上記目的を達成するために、本発明の請求項１は、複数の写真を集積する写真集積手段と、複数のチラシを集積するチラシ集積手段と、前記写真及び前記チラシを収納する収納手段と、前記写真及び前記チラシを前記収納手段に所定のルールに従って搬送する搬送手段と、該搬送手段の動作を制御する制御手段とを備えた写真・チラシ収納装置を提供するものである。
【０００８】
請求項２は前記所定のルールは、前記写真と前記チラシの枚数が略同一の場合は、前記写真と前記チラシを交互に前記収納手段に収納するよう前記搬送手段を制御する請求項１に記載の写真・チラシ収納装置を提供するものである。
【０００９】
請求項３は前記所定のルールは、前記写真が前記チラシの枚数が多い場合、前記チラシを前記写真に対して略均等の間隔で前記収納手段に収納するよう前記搬送手段を制御する請求項１に記載の写真・チラシ収納装置を提供するものである。
【００１０】
請求項４は、前記所定のルールは、前記写真と前記チラシの枚数が多い場合は、前記写真に対して前記チラシを最初と最後の所定枚数は略交互または所定の間隔で前記収納手段に収納するよう前記搬送手段を制御する請求項１に記載の写真・チラシ収納装置を提供するものである。
【００１１】
請求項５は複数の写真を集積するステップと、複数のチラシを集積するステップと、前記写真及び前記チラシを収納手段に所定のルールに従って搬送するよう制御するステップとを備えた写真・チラシ収納方法を提供するものである。
【００１２】
請求項６は前記所定のルールは、前記写真と前記チラシの枚数が略同一の場合は、前記写真と前記チラシを交互に前記収納手段に収納するよう制御するステップである請求項５に記載の写真・チラシ収納方法を提供するものである。
【００１３】
請求項７は前記所定のルールは、前記写真が前記チラシの枚数が多い場合、前記チラシを前記写真に対して略均等の間隔で収納手段に収納するよう制御するステップである請求項５に記載の写真・チラシ収納方法。
【００１４】
請求項８は前記所定のルールは、前記写真と前記チラシの枚数が多い場合は、前記写真に対して前記チラシを最初と最後の所定枚数は略交互または所定の間隔で前記収納手段に収納するよう制御するステップである請求項５に記載の写真・チラシ収納装置を提供するものである。
【発明の効果】
【００１５】
上述したように本発明は、前記写真と前記チラシを略交互または略均等な間隔または最初と最後の所定枚数に対して略交互または所定の間隔で収納するために、同梱されたチラシが一部破棄されても印象に残るために本来のチラシの効果を得ることができる。
【発明を実施するための最良の形態】
【００１６】
以下、本発明の実施の形態を図１〜図３に基づいて説明する。
【００１７】
図１は本発明の実施形態を示すブロック図を示す。
まず１で示す写真集積手段に集積された写真２と、３で示すチラシ集積手段に集積されたチラシ４を不図示の吸着手段を含む不図示の搬送路に乗せ、搬送手段５、６で、７で示す収納手段に収納する。そこで搬送手段５、６の搬送を制御する制御手段８を、図２、３で示すフローチャートのように制御する。
【００１８】
図２は制御手段８の内容を示す第１のフローチャートである。
【００１９】
図２で、Ｓ１のように写真２とチラシ４の枚数がそれぞれ略同一の場合にはＳ２で示すように写真２に対してチラシ４を交互に挿入する。もしも、Ｓ２で写真２とチラシ４の枚数が略同一でない場合にはＳ３で示すように写真２に対してチラシを交互に挿入する。
【００２０】
図３は別の実施例を示す第２のフローチャートである。
【００２１】
図２と同様にＳ４で、写真２とチラシ４の枚数がそれぞれ略同一の場合にはＳ５のように写真２に対してチラシ４を交互に挿入する。もしも略同一でない場合は、Ｓ６のように写真２に対してチラシ４を最初と最後の所定枚数は略交互または所定の間隔で収納する。
【図面の簡単な説明】
【００２２】
【図１】本発明の写真・チラシ収納装置のブロック図
【図２】本発明の第１のフローチャートを示す。
【図３】本発明の第２のフローチャートを示す。
【図４】公知例を示す。
【符号の説明】
【００２３】
１    写真集積手段
２    写真
３    チラシ集積手段
４    チラシ
５    搬送手段
６    搬送手段
７    収納手段
８    制御手段
【図１】
2009139502.tif 000003
【図２】
2009139502.tif 000004
【図３】
2009139502.tif 000005
【図４】
2009139502.tif 000006